(57)【要約】【課題】本発明は、（１）保管中に抗菌剤のフィルタへの吸着を防止すること、（２）そのために、容器とフィルタを分離可能な構造とし、且つ、容器を簡易に固定できること、並びに、（３）フィルタと抗菌剤をそれぞれ簡易な作業で別々に交換できること、を満たすことを目的とする。【解決手段】本発明に係る抗菌剤を封入した容器の固定機構は、車両用空調装置における抗菌剤を封入した容器の固定機構である。そして、フィルタユニット３０の出し入れ口５０を開閉する蓋５１に、容器３１を着脱自在に固定する固定手段５３を設けたことを特徴とする。【選択図】図２
2006188115.tif 000002
【特許請求の範囲】
【請求項１】
空気吸気口から浄化空気吐出口に向かって空気流れを形成する空気通路を有し、該空気通路に、少なくとも、前記空気流れを発生させる送風機と、前記空気流れが通気する際に異物を除去するフィルタと、前記空気流れを冷却するエバポレータと、抗菌剤を封入した容器とを配置した車両用空調装置における前記容器の固定機構であって、
前記フィルタの出し入れ口を前記空気通路の壁面に設け、前記出し入れ口を開閉する蓋を設け、該蓋の壁のうち前記空気通路の内部側に、前記容器を着脱自在に固定する固定手段を設けたことを特徴とする抗菌剤を封入した容器の固定機構。
【請求項２】
前記容器の対向し合う壁のいずれか一方の外壁面に凹部を設け、他方の外壁面に凸部を設け、
前記固定手段は、前記蓋の壁のうち前記空気通路の内部側に、前記容器の凹部及び凸部と同形状の凹部及び凸部を対向し合う関係で設けたものであり、
前記蓋の凸部に前記容器の凹部を嵌着し且つ前記蓋の凹部に前記容器の凸部を嵌着することにより、前記容器を前記蓋に着脱自在に固定することを特徴とする請求項１記載の抗菌剤を封入した容器の固定機構。
【請求項３】
２個以上の前記容器同士を、前記凹部に前記凸部を嵌着することで、列状に一体化させ、前記蓋の凹部に、一体化した前記容器の端の凸部を嵌着し且つ前記蓋の凸部に、一体化した前記容器の端の凹部を嵌着することで、前記一体化した容器を固定することを特徴とする請求項２記載の抗菌剤を封入した容器の固定機構。
【請求項４】
抗菌剤を封入した容器の対向し合う壁のいずれか一方の外壁面に凹部を設け、他方の外壁面に凸部を設け、車両用空調装置の空気通路に配置するためのフィルタを保持したフィルタ枠体に前記凹部及び前記凸部と同形状の凹部及び凸部を対向し合う関係で設け、
前記フィルタ枠体の凸部に前記容器の凹部を嵌着し且つ前記フィルタ枠体の凹部に前記容器の凸部を嵌着することにより、前記容器を前記フィルタ枠体に固定することを特徴とする抗菌剤を封入した容器の固定機構。
【請求項５】
２個以上の前記容器同士を、前記凹部に前記凸部を嵌着することで、列状に一体化させ、前記フィルタ枠体の凹部に、一体化した前記容器の端の凸部を嵌着し且つ前記フィルタ枠体の凸部に、一体化した前記容器の端の凹部を嵌着することで、前記一体化した容器を固定することを特徴とする請求項４記載の抗菌剤を封入した容器の固定機構。
【請求項６】
前記凹部は、Ｃ文字形状の凸起を形成することで該Ｃ文字形状の凸起の内側に凹陥部を形成してなるものであり、
前記凸部は、円周及び該円周上に起点を有し外側に伸びる法線とからなる形状或いは楕円曲線及び該楕円曲線上に起点を有し外側に伸びる法線とからなる形状の凸起を形成してなるものであり、
前記凹部と前記凸部との嵌着は、前記凹陥部に、前記円周の凸起若しくは前記楕円曲線の凸起が嵌挿され、且つ、前記Ｃ文字形状の欠切部分の凹陥部に前記法線の凸起が嵌合されることによりなされることを特徴とする請求項２、３、４、又は５記載の抗菌剤を封入した容器の固定機構。
【請求項７】
前記容器は、対向し合う壁のうち一方を肉厚壁とし、他方を肉薄壁とした容器であり、且つ、前記空気流れの上流側に向かう壁を前記肉厚壁とし、前記空気流れの下流側に向かう壁を前記肉薄壁となるように固定することを特徴とする請求項１、２、３、４、５又は６記載の抗菌剤を封入した容器の固定機構。
【請求項８】
ポリプロピレン樹脂により形成され、密閉された中空容器に、少なくとも抗菌剤が封入されてなり、且つ、
前記中空容器の対向し合う壁のいずれか一方の外壁面に凹部を有し、他方の外壁面に前記凹部と嵌脱自在の関係の形状の凸部を有することを特徴とする抗菌剤を封入した容器。
【請求項９】
前記凹部は、Ｃ文字形状の凸起を形成することで該Ｃ文字形状の凸起の内側に凹陥部を形成してなるものであり、
前記凸部は、円周及び該円周上に起点を有し外側に伸びる法線とからなる形状或いは楕円曲線及び該楕円曲線上に起点を有し外側に伸びる法線とからなる形状の凸起を形成してなるものであり、
前記凹部と前記凸部との嵌着は、前記凹陥部に、前記円周の凸起若しくは前記楕円曲線の凸起が嵌挿され、且つ、前記Ｃ文字形状の欠切部分の凹陥部に前記法線の凸起が嵌合されることによりなされることを特徴とする請求項８記載の抗菌剤を封入した容器。
【請求項１０】
前記抗菌剤は、アリルイソチオシアネートであることを特徴とする請求項８又は９記載の抗菌剤を封入した容器。
【発明の詳細な説明】
【技術分野】
【０００１】
本発明は、エバポレータ及びその周辺部分における微生物の繁殖防止の機能を有する車両用空調装置の空気通路内に配置する抗菌剤を封入した容器の固定機構とその容器に関する。
【背景技術】
【０００２】
自動車用エアコンから悪臭が発生する原因として、エアコン内に繁殖した細菌等の微生物の活動が挙げられる。エアコン内は、エバポレータコアから発生する結露水によって、細菌類の繁殖しやすい環境となっている。微生物の繁殖防止対策としてはユニット内の抗菌処理や乾燥が考えられる。
【０００３】
エアコン内の樹脂に抗菌剤を配合するという方法は、数多く試みられているが、抗菌剤の上にダストが堆積すると効果が無くなるなどの問題があった。そこで、その対策として揮発性の抗菌剤を使用するという提案がなされている（例えば特許文献１、２又は３を参照）。
【特許文献１】特開平１１−２１１１２６号公報
【特許文献２】特開２０００−８８２７０号公報
【特許文献３】特公平６−７８８２１号公報
【発明の開示】
【発明が解決しようとする課題】
【０００４】
これらの先行技術では、揮発性抗菌剤をエアコン内に置くということであるが、自動車用エアコンに提供した場合、夏場にはエアコン内でも５０℃近くに達するため、揮発量が増加してしまい、抗菌剤の寿命が短くなるという点に対して考慮されていなかった。
【０００５】
そこで、ＨＶＡＣ内に抗菌剤として、イソチオシアネート類、特にアリルイソチオシアネート（ＡＩＴ）を用い、抗菌剤の容器の材質としてポリプロピレンを用いたものを使用すると、抗菌剤がポリプロピレンを透過して抗菌効果が得られるということがわかった。
【０００６】
しかし、抗菌剤を車両用空調装置のフィルタと一体化し、その全体をアルミニウム蒸着フィルム等のガスバリア性フィルムでパック包装した場合、製造後の保管中にフィルムパック内で抗菌剤が揮発し、フィルタに吸着するという問題が生じた。
【０００７】
そこで、フィルタと抗菌剤容器とを別々にフィルムパックしたいという要求が生じた。この要求を満たすためには、フィルタを車両用空調装置に取り付ける際に、抗菌剤容器をフィルムパックから開封して、抗菌剤容器を、フィルタないし設置済みフィルタの隣接箇所に簡易に固定できることが望まれる。
【０００８】
また、フィルタと抗菌剤の寿命は異なるため、それぞれ適切な交換時期に交換したいという要望もある。
【０００９】
そこで、本発明の目的は、（１）保管中に抗菌剤のフィルタへの吸着を防止すること、（２）そのために、容器とフィルタを分離可能な構造とし、且つ、フィルタないし設置済みフィルタの隣接箇所に、容器を簡易に固定できること、（３）フィルタと抗菌剤をそれぞれ簡易な作業で別々に交換できること、を満たす容器の固定機構を提供することである。また、簡易に交換しうる容器を提供することを目的とする。
【課題を解決するための手段】
【００１０】
本発明に係る抗菌剤を封入した容器の固定機構は、空気吸気口から浄化空気吐出口に向かって空気流れを形成する空気通路を有し、該空気通路に、少なくとも、前記空気流れを発生させる送風機と、前記空気流れが通気する際に異物を除去するフィルタと、前記空気流れを冷却するエバポレータと、抗菌剤を封入した容器とを配置した車両用空調装置における前記容器の固定機構であって、
前記フィルタの出し入れ口を前記空気通路の壁面に設け、前記出し入れ口を開閉する蓋を設け、該蓋の壁のうち前記空気通路の内部側に、前記容器を着脱自在に固定する固定手段を設けたことを特徴とする。
【００１１】
本発明に係る抗菌剤を封入した容器の固定機構では、前記容器の対向し合う壁のいずれか一方の外壁面に凹部を設け、他方の外壁面に凸部を設け、
前記固定手段は、前記蓋の壁のうち前記空気通路の内部側に、前記容器の凹部及び凸部と同形状の凹部及び凸部を対向し合う関係で設けたものであり、
前記蓋の凸部に前記容器の凹部を嵌着し且つ前記蓋の凹部に前記容器の凸部を嵌着することにより、前記容器を前記蓋に着脱自在に固定することが好ましい。
【００１２】
本発明に係る抗菌剤を封入した容器の固定機構では、２個以上の前記容器同士を、前記凹部に前記凸部を嵌着することで、列状に一体化させ、前記蓋の凹部に、一体化した前記容器の端の凸部を嵌着し且つ前記蓋の凸部に、一体化した前記容器の端の凹部を嵌着することで、前記一体化した容器を固定することが好ましい。複数の容器を固定可能とすることで、別種の抗菌剤を同時にＨＶＡＣシステム内に配置し或いは同種の抗菌剤を配置する場合においてもその量を増やすことが可能である。
【００１３】
本発明に係る抗菌剤を封入した容器の固定機構は、抗菌剤を封入した容器の対向し合う壁のいずれか一方の外壁面に凹部を設け、他方の外壁面に凸部を設け、車両用空調装置の空気通路に配置するためのフィルタを保持したフィルタ枠体に前記凹部及び前記凸部と同形状の凹部及び凸部を対向し合う関係で設け、
前記フィルタ枠体の凸部に前記容器の凹部を嵌着し且つ前記フィルタ枠体の凹部に前記容器の凸部を嵌着することにより、前記容器を前記フィルタ枠体に固定することを特徴とする。
【００１４】
本発明に係る抗菌剤を封入した容器の固定機構では、２個以上の前記容器同士を、前記凹部に前記凸部を嵌着することで、列状に一体化させ、前記フィルタ枠体の凹部に、一体化した前記容器の端の凸部を嵌着し且つ前記フィルタ枠体の凸部に、一体化した前記容器の端の凹部を嵌着することで、前記一体化した容器を固定することが好ましい。複数の容器を固定可能とすることで、別種の抗菌剤を同時にＨＶＡＣシステム内に配置し或いは同種の抗菌剤を配置する場合においてもその量を増やすことが可能である。
【００１５】
本発明に係る抗菌剤を封入した容器の固定機構では、前記凹部は、装着時の空気流れの上流と下流とを区別するために、Ｃ文字形状の凸起を形成することで該Ｃ文字形状の凸起の内側に凹陥部を形成してなるものであり、
前記凸部は、円周及び該円周上に起点を有し外側に伸びる法線とからなる形状或いは楕円曲線及び該楕円曲線上に起点を有し外側に伸びる法線とからなる形状の凸起を形成してなるものであり、
前記凹部と前記凸部との嵌着は、前記凹陥部に、前記円周の凸起若しくは前記楕円曲線の凸起が嵌挿され、且つ、前記Ｃ文字形状の欠切部分の凹陥部に前記法線の凸起が嵌合されることによりなされることが好ましい。
【００１６】
本発明に係る抗菌剤を封入した容器の固定機構では、前記容器は、対向し合う壁のうち一方を肉厚壁とし、他方を肉薄壁とした容器であり、且つ、前記空気流れの上流側に向かう壁を前記肉厚壁とし、前記空気流れの下流側に向かう壁を前記肉薄壁となるように固定することが好ましい。抗菌剤の過度の揮発を抑制することができる。
【００１７】
本発明に係る抗菌剤を封入した容器は、ポリプロピレン樹脂により形成され、密閉された中空容器に、少なくとも抗菌剤が封入されてなり、且つ、
前記中空容器の対向し合う壁のいずれか一方の外壁面に凹部を有し、他方の外壁面に前記凹部と嵌脱自在の関係の形状の凸部を有することを特徴とする。
【００１８】
本発明に係る抗菌剤を封入した容器では、前記凹部は、Ｃ文字形状の凸起を形成することで該Ｃ文字形状の凸起の内側に凹陥部を形成してなるものであり、
前記凸部は、円周及び該円周上に起点を有し外側に伸びる法線とからなる形状或いは楕円曲線及び該楕円曲線上に起点を有し外側に伸びる法線とからなる形状の凸起を形成してなるものであり、
前記凹部と前記凸部との嵌着は、前記凹陥部に、前記円周の凸起若しくは前記楕円曲線の凸起が嵌挿され、且つ、前記Ｃ文字形状の欠切部分の凹陥部に前記法線の凸起が嵌合されることによりなされることが好ましい。
【００１９】
本発明に係る抗菌剤を封入した容器では、前記抗菌剤は、アリルイソチオシアネートであることが好ましい。アリルイソチオシアネートは、ポリプロピレン樹脂を適度に透過するので、ＨＶＡＣ内で抗菌剤を徐々に放出させることが容易にできる。
【発明の効果】
【００２０】
本発明は、保管中に抗菌剤のフィルタへの吸着を防止できる。また、容器とフィルタを分離可能な構造とし、且つ、フィルタないし設置済みフィルタの隣接箇所に、容器を簡易に固定することができる。さらにフィルタと抗菌剤をそれぞれ簡易な作業で別々に交換できる。
【発明を実施するための最良の形態】
【００２１】
本発明について実施例を示して詳細に説明するが、本発明はこれらの記載に限定して解釈されない。まず、本実施形態に係る抗菌剤を封入した容器の固定機構を搭載することとなる車両用空調装置について説明する。
【００２２】
図１に本実施形態に係る容器の固定機構を搭載するための車両用空調装置について、空気吸気口からエバポレータまでの空気通路における側面概略図を示した。この車両用空調装置１００は、空気通路を形成する空調装置本体１０を備えている。空調装置本体１０には、インテークドア１１によって開閉される内気吸込み口１０ｂ及び外気吸込み口１０ｃからなる空気吸入口１０ａと、空気吸入口１０ａに連なる空気通路１０ｄ、並びに浄化空気吐出口１０ｆとが形成されている。空気通路１０ｄには、送風機であるブロア２０とフィルタユニット３０とエバポレータ４０とが上流側から順に設けられている。ブロア２０を駆動すると、空気吸入口１０ａのうち開いた側から空気通路１０ｄ内に、空気が取り込まれる。この空気は、フィルタユニット３０を通過した後、のちにエバポレータ４０によって冷却されることとなる空気流れ１０ｅを形成する。その後、エアミックスドア(不図示)、ヒータ（不図示）などを経て、車室内に吹き出される。
【００２３】
図１では、空気流れ１０ｅの上流からブロア２０、フィルタユニット３０、エバポレータ４０の順に配置したが、フィルタユニット、エバポレータ、ブロアの順或いはフィルタユニット、ブロア、エバポレータの順に配置しても良い。
【００２４】
フィルタユニット３０は空気を浄化するためのものであり、フィルタ面が覆われないようにフィルタ端部を固定するフィルタ枠体に、集塵フィルタのみ或いは集塵フィルタと脱臭フィルタとの組み合わたのフィルタが組み込まれている。これらのフィルタはフィルタ面積を大きくするためにプリーツ状に加工されていることが好ましい。また、脱臭フィルタを設ける場合には脱臭フィルタに光触媒を担持させ、紫外線発生ランプにより脱臭フィルタに付着した脱臭成分を分解させることがより好ましい。なお、フィルタ枠体を空調装置本体１０に着脱自在に固定するために、フィルタ枠に係止爪（不図示）を設けることが好ましい。これにより各種フィルタの保守又は交換が容易となる。なお、紫外線発生ランプはフィルタ枠体に固定せずに空調装置本体１０に支持させても良く、またフィルタ枠に固定しても良い。また、フィルタ枠を格子状に分割して、分割したそれぞれの枠体内にフィルタを組み込んでも良い。また、フィルタ枠を用いずにフィルタのみを配置しても良い。
【００２５】
（第１実施形態）
次に車両用空調装置１００に抗菌剤を封入した容器を固定するときの第１実施形態に係る容器の固定機構を説明する。第１実施形態に係る抗菌剤を封入した容器の固定機構は、空気吸気口から浄化空気吐出口に向かって空気流れを形成する空気通路を有し、該空気通路に、少なくとも、前記空気流れを発生させる送風機と、前記空気流れが通気する際に異物を除去するフィルタと、前記空気流れを冷却するエバポレータと、抗菌剤を封入した容器とを配置した車両用空調装置における前記容器の固定機構である。そして、前記フィルタの出し入れ口を前記空気通路の壁面に設け、前記出し入れ口を開閉する蓋を設け、該蓋の壁のうち前記空気通路の内部側に、前記容器を着脱自在に固定する固定手段を設けるというものである。
【００２６】
図２に第１実施形態に係る容器の固定機構の概略図を示した。図２（ａ）は、図２（ｂ）で示したＡ−Ａ’断面図である。図２（ｂ）は、図１におけるエバポレータ４０及びフィルタユニット３０付近の拡大概略図である。抗菌剤を封入した容器３１は、車両用空調装置１００の空気通路１０ｄ内に固定されている。より具体的には、容器３１の対向し合う壁のいずれか一方の外壁面３１ａに凹部５４を設け、他方の外壁面３１ｂに凸部５５を設ける。一方、空気通路１０ｄを区画する空調装置本体１０の壁面にフィルタユニット３０の出し入れ口５０が設けられていて、さらに出し入れ口５０を開閉する蓋５１が設けられている。そして、凹部５４及び凸部５５と同形状の凹部５６及び凸部５７が対向し合う関係で蓋５１の壁面に設置される。これが容器３１の固定手段となる。そして、蓋５１の凸部５７に容器３１の凹部５４を嵌着し且つ蓋５１の凹部５６に容器３１の凸部５５を嵌着することにより、容器３１を着脱自在に固定する。第１実施形態に係る固定機構は、蓋５１の凹部５６と凸部５７とを備える固定手段５３により容器３１を蓋５１の内壁側に固定するものである。
【００２７】
蓋５１の凹部５６と凸部５７に、容器３１の凸部５５及び凹部５４を嵌着させることにより固定するものであることが好ましい。容器３１を接着剤や両面テープで接着させた場合、抗菌剤成分により接着剤が劣化して、脱落のおそれがある。
【００２８】
図２では、１個の容器を嵌着させることにより固定する場合を示したが、複数の容器を蓋の内壁面側に同時に固定する形態としても良い。図３に複数の容器を固定する場合の第１形態に係る固定機構の概略図を示した。図３（ａ）は、複数の容器を一体化して蓋に固定する工程、図３（ｂ）は蓋に一体化した複数の容器を固定している状態をそれぞれ示している。まず、２個以上の容器３１同士を、凹部５４に凸部５５を嵌着することで、列状に一体化させる（図３（ａ））。次に、蓋５１の凹部５６に、一体化した容器の端の凸部５５を嵌着し且つ蓋５１の凸部５７に、一体化した容器の端の凹部５４を嵌着する（図３（ａ））。これによって、一体化した容器は、蓋５１に固定される（図３（ｂ））。小型容器の個数を調整することで蓋５１の大きさに適合させることが可能である。
【００２９】
次に、容器３１の凹部５４及び凸部５５、並びに、蓋５１の凹部５６及び凸部５７の構造例を具体的に示し、これらの嵌合機構について説明する。容器３１の凹部と蓋５１の凹部５６とは同一形状であり、また、容器３１の凸部５５と蓋５１の凸部５７とは同一形状である。よって、ここでは、容器３１の凹部５４及び凸部５５を例として説明する。図４は、容器３１の凹部５４及び凸部５５の形状の一形態を示す概略図である。凹部５４は、Ｃ文字形状の凸起５８を形成することでＣ文字形状の凸起の内側に凹陥部５９を形成してなるものであり、凸部５５は、円周６０及び円周６０上に起点を有し外側に伸びる法線６１とからなる形状の凸起６２を形成してなるものである。そして、凹部５４と凸部５５との嵌着は、凹陥部５９に、円周６０の凸起が嵌挿され、且つ、Ｃ文字形状の欠切部分６３の凹陥部に法線６１の凸起が嵌合されることによりなされる。Ｃ文字形状の欠切部分６３の凹陥部に法線６１の凸起が嵌合されることにより、凹部と凸部を嵌着させるときの回転方向の位置関係が一定関係に決められる。なお、凸部５５は、楕円曲線及び該楕円曲線上に起点を有し外側に伸びる法線とからなる形状の凸起を形成してなるものであっても良い（不図示）。その場合は、凹部５４の凹陥部５９の形状を同一形状の楕円曲線とする。
【００３０】
本実施形態において、フィルタユニット３０の出し入れ口５０の蓋５１に抗菌剤を封入した容器３１を固定する理由は、抗菌剤を封入した容器３１の専用の出し入れ口の設置を省略し、兼用とすること、並びに、エバポレータは結露水により微生物が繁殖しやすい環境となるため、フィルタユニット３０がエバポレータ４０に隣接して配置されている場合において、エバポレータ及びその周辺部に抗菌剤を徐放させて微生物繁殖を防止するためである。
【００３１】
抗菌剤は、室温で揮発する抗菌剤であればいかなる抗菌剤でも使用しうる。例えばヒノキチオール、シンナムアルデヒド、イソチオシアネート類などがあるが、低濃度で抗菌性を有し、合成高分子をガス透過する性質を有する理由でアリルイソチオシアネートが特に好ましい。本実施形態では、アリルイソチオシアネートをゼオライト等の多孔質体の媒体に吸着させるか、吸水ポリマーの媒体に含浸させ、媒体を合成高分子製容器に封入して使用する。容器材料としてはアリルイソチオシアネートを拡散浸透によりガス透過させるポリプロピレンが好ましい。容器には通気孔を設けず、蓋を超音波溶着で完全に密閉させる。
【００３２】
密閉された中空容器に少なくとも抗菌剤が封入されている容器３１は、空気通路において、空気流れ上流側の壁の壁厚よりも空気流れ下流側の壁の壁厚が薄くなるように成形され、固定されていることが好ましい。空気流れ上流側の壁に空気流れが当たっている場合、ガス透過した抗菌剤が早期に壁面から散逸する。ガス透過は濃度勾配に応じて拡散するため、ガス透過時に壁面に吸着している抗菌剤が早期に脱離すれば壁面での抗菌剤濃度が薄くなって抗菌剤のガス透過が促進される。抗菌剤は車両用空調装置が稼動しているときよりも車両用空調装置が停止中で空気通路に空気流れが発生していない状態のときに、エバポレータ及びその周辺に向けて徐放されたほうが微生物の繁殖を抑止できる。したがって、容器は、空気流れを受風することによる抗菌剤のガス透過の促進を防止する特性を有することが望まれ、エバポレータに向けてより多くの抗菌剤が揮発されることが望まれる。上流側の壁の壁厚を厚くする際には、抗菌剤のガス透過を非常に少なくし空気流れを受風したとしてもその影響は僅かである壁厚に設定する。例えばその壁厚は１．６〜３．０ｍｍ、好ましくは１．８〜２．２ｍｍである。一方、空気流れを受風しにくい容器の下流側の壁の壁厚を薄くしても受風による抗菌剤の揮発は起こらず、壁厚を薄くすることによりエバポレータ側に方向性を持って抗菌剤を徐放させることができる。なお、容器の下流側の壁は、空気通路内が５０℃程度の温度になっても抗菌剤が必要以上にガス透過しない程度の壁厚に設定する。例えばその壁厚は０．４〜１．２ｍｍ、好ましくは０．６〜１．０ｍｍである。上記のように本実施形態では必要な方向のみ抗菌剤を徐放させることができるので、抗菌剤の寿命を延ばすことが可能となる。また、空気流れの上流と下流とを容易に判別して容器を取付けできるように、容器３１の取り付け形状は、略Ｃ文字形状の凹部並びにそれに嵌合する凸部とすることが好ましい。Ｃ文字形状の欠切部分が取付方向決めとなる。
【００３３】
（第２実施形態）
次に車両用空調装置１００に抗菌剤を封入した容器を固定するときの第２実施形態に係る容器の固定機構を説明する。図５に第２実施形態に係る容器の固定機構の概略図を示した。図５（ａ）は、複数の容器を一体化して蓋に固定する工程、図５（ｂ）は蓋に一体化した複数の容器を固定している状態をそれぞれ示している。図５は、複数の容器を一体化してフィルタ枠体に同時に固定する形態を示したが、第１実施形態の場合と同様に１個の抗菌剤を封入した容器を固定することとしても良い。フィルタ枠体３２に固定された抗菌剤を封入した容器３１は、第１実施形態の場合と同様に車両用空調装置１００の空気通路１０ｄ内に固定されることとなる。図５（ａ）において、２個以上の容器３１同士を列状に一体化させることについては第１実施形態の場合と同一である。すなわち、抗菌剤を封入した容器３１の対向し合う壁のいずれか一方の外壁面３１ａに凹部５４を設け、他方の外壁面３１ｂに凸部５５を設ける。一方、車両用空調装置の空気通路に配置するためのフィルタ３３を保持したフィルタ枠体３２に凹部５４及び凸部５５と同形状の凹部７１及び凸部７０を対向し合う関係で設ける。フィルタ枠体３２の凹部７１及び凸部７０はフィルタ枠体の延長部７２に設置されている。そして、フィルタ枠体３２の凸部７０に容器３１の凹部５４を嵌着し且つフィルタ枠体３２の凹部７１に容器３１の凸部５５を嵌着することにより、容器３１をフィルタ枠体３２に固定する。すなわち、第２実施形態に係る固定機構は、フィルタ枠体３２に容器３１を固定するものである。第１実施例と同様に、容器３１はフィルタ枠体３２に嵌着されているため、抗菌剤成分が存在しても接着剤の劣化のような現象は生じず、脱落のおそれは少ない。
【００３４】
容器３１の凹部５４及び凸部５５、並びに，フィルタ枠体３２に設けた凹部７１及び凸部７０の構造については、第１実施形態における容器３１の凹部５４及び凸部５５、並びに、蓋５１の凹部５６及び凸部５７の構造と同一構造のものとすることが好ましい。
【００３５】
第２実施形態において、フィルタ枠体３２に抗菌剤を封入した容器３１を固定する理由は、エバポレータは結露水により微生物が繁殖しやすい環境となるため、フィルタ３３がエバポレータ４０に隣接して配置されている場合において、エバポレータ及びその周辺部に抗菌剤を徐放させて微生物繁殖を防止するためである。
【００３６】
抗菌剤及びそれを封入するための容器は、第１実施形態の場合と同様である。また、第１実施形態の場合と同様に密閉された中空容器に少なくとも抗菌剤が封入されている容器３１は、空気通路において、空気流れ上流側の壁の壁厚よりも空気流れ下流側の壁の壁厚が薄くなるように成形され、固定されていることが好ましい。さらに、凹部及び凹部の具体的形状例についても第１実施形態の場合と同様である。
【００３７】
本実施形態では、容器とフィルタを分離可能な構造とし、且つ、フィルタないし設置済みフィルタの隣接箇所に、容器を簡易に固定することができる。したがって、フィルタと抗菌剤入り容器とを別々の包装とすることができる。したがって、保管中に抗菌剤のフィルタへの吸着を防止できる。さらにフィルタと抗菌剤をそれぞれ簡易な作業で別々に交換できる。
【００３８】
本実施形態では、抗菌剤を封入した容器を複数、列状に一体化させた形態を示したが、この場合において、抗菌剤の代わりに芳香剤を入れた容器を混在させても良い。このとき、芳香剤を入れた容器は密閉せずに、芳香剤が容器外部に揮発できるように、容器に細孔を設けておくことが好ましい。
【図面の簡単な説明】
【００３９】
【図１】本実施形態に係る容器の固定機構を搭載するための車両用空調装置について、空気吸気口からエバポレータまでの空気通路における側面概略図を示した。
【図２】第１実施形態に係る容器の固定機構の概略図であり、（ａ）は（ｂ）で示したＡ−Ａ’断面図であり、（ｂ）は図１におけるエバポレータ及びフィルタユニット付近の拡大概略図である。
【図３】複数の容器を固定する場合の第１形態に係る固定機構の概略図であり、（ａ）は複数の容器を一体化して蓋に固定する工程、（ｂ）は蓋に一体化した複数の容器を固定している状態をそれぞれ示している。
【図４】抗菌剤を封入した容器の凹部及び凸部の形状の一形態を示す概略図である。
【図５】第２実施形態に係る容器の固定機構の概略図であり、（ａ）は複数の容器を一体化して蓋に固定する工程、（ｂ）は蓋に一体化した複数の容器を固定している状態をそれぞれ示している。
【符号の説明】
【００４０】
１００，車両用空調装置
１０，空調装置本体
１１，インテークドア
１０ａ，空気吸入口
１０ｂ，内気吸込み口
１０ｃ，外気吸込み口
１０ｄ，空気通路
１０ｆ，浄化空気吐出口
２０，ブロア
３０，フィルタユニット
３１，抗菌剤を封入した容器
３２，フィルタ枠体
３３，フィルタ
４０、エバポレータ
５０，出し入れ口
５１，蓋
５２，空気通路の内部側
５３，固定手段
３１ａ，３１ｂ，容器の外壁面
５４，５６，７１，凹部
５５，５７，７０，凸部
５８，Ｃ文字形状の凸起
５９，Ｃ文字形状の凸起の内側に凹陥部
６０，円周
６１，法線
６２，凸起
６３，Ｃ文字形状の欠切部分
７２，フィルタ枠体の延長部
【図１】
2006188115.tif 000003
【図２】
2006188115.tif 000004
【図３】
2006188115.tif 000005
【図４】
2006188115.tif 000006
【図５】
2006188115.tif 000007